(57)【要約】【課題】ルーチン検査の操作を簡便化することができる磁気共鳴イメージング装置を提供する。【解決手段】撮像条件を構成する複数の撮像パラメータのうち一部の撮像パラメータに設定される値を準備撮像により最適化したうえで本撮像を行う磁気共鳴イメージング装置であって、目的部位ごとに撮像の操作手順を記憶する操作手順記憶手段と、所定の目的部位の撮像を行う際に、記憶されている操作手順に基づいて準備撮像を実行して、準備撮像に基づいて撮像パラメータを最適化する最適化手段と、最適化された撮像パラメータに基づいて、本撮像を実行する本撮像実行手段と、を備えた。【選択図】  図２
2010136828.tif 000002
【特許請求の範囲】
【請求項１】
撮像条件を構成する複数の撮像パラメータのうち一部の撮像パラメータに設定される値を準備撮像により最適化したうえで本撮像を行う磁気共鳴イメージング装置であって、
目的部位ごとに撮像の操作手順を記憶する操作手順記憶手段と
所定の目的部位の撮像を行う際に、前記操作手順記憶手段により記憶されている操作手順に基づいて準備撮像を実行する準備撮像実行手段と、
前記準備撮像実行手段による準備撮像に基づいて撮像パラメータを最適化する最適化手段と、
前記最適化手段により最適化された撮像パラメータに基づいて、本撮像を実行する本撮像実行手段と、
を備えたことを特徴とする磁気共鳴イメージング装置。
【請求項２】
前記操作手順記憶手段は、前記本撮像実行手段が本撮像を実行した際、本撮像に使用された撮像パラメータを含む操作手順を記憶することを特徴とする請求項１記載の磁気共鳴イメージング装置。
【請求項３】
前記最適化手段により最適化された撮像パラメータを提示するとともに、これらの撮像パラメータを編集する操作を受け付ける操作受付手段を備え、
前記本撮像実行手段は、前記操作受付手段により編集が受け付けられた場合、この編集されたパラメータに基づいて、本撮像を実行することを特徴とする請求項１記載の磁気共鳴イメージング装置。
【請求項４】
前記最適化手段により最適化された撮像パラメータが患者ごとに設定される必要があるパラメータを含んでいた場合、これらのパラメータを提示するとともに、これらの撮像パラメータを編集する操作を受け付ける操作受付手段を備え、
前記本撮像実行手段は、前記操作受付手段により編集が受け付けられた場合、この編集されたパラメータに基づいて、本撮像を実行することを特徴とする請求項１記載の磁気共鳴イメージング装置。
【請求項５】
本撮像用として設定された撮像条件から準備撮像用の撮像条件を生成する方法を定義した条件生成定義情報を準備撮像の種類ごとに記憶する定義情報記憶手段と、
前記準備撮像実行手段による実行対象となる準備撮像の種類に対応する条件生成定義情報を、前記定義情報記憶手段により記憶されている条件生成定義情報から取得し、取得した条件生成定義情報に基づいて、準備撮像用の撮像条件を生成する撮像条件生成手段と、を備え、
前記準備撮像実行手段は、前記操作手順記憶手段により撮像対象となる目的部位の操作手順が記憶されていなかった場合、前記撮像条件生成手段によって生成された撮像条件に基づいて前記準備撮像を実行することを特徴とする請求項１記載の磁気共鳴イメージング装置。
【発明の詳細な説明】
【技術分野】
【０００１】
本発明は、磁気共鳴イメージング装置のルーチン検査において、操作手順を記録・再生利用することで、多様化する機能を効率的に最小限の操作手数で行えるようにした磁気共鳴イメージング装置に関するものである。
【背景技術】
【０００２】
磁気共鳴イメージング装置の高機能化に伴って、操作メニューが複雑化しており、ルーチン検査においても操作手順の複雑化と操作手順のステップ数の増加に鑑み、操作に習熟していない臨床担当者でも一定の臨床検査ができるように、磁気共鳴イメージング装置の操作性の改善が求められていた。
【０００３】
そこで、イメージスキャンで用いるパルスシーケンスの所望のパラメータの値を、そのスキャンに先立って最適化させることができる磁気共鳴イメージング装置が提案されている（特許文献１参照）。この磁気共鳴イメージング装置は、被検体のＭＲ画像を得るためにイメージングスキャンを実行するものであり、被検体の同一部位に対して複数回のデータ収集が与えられる準備スキャンを、イメージングスキャンで用いるパルスシーケンスの所望パラメータの量を収集毎に変えながら実行し、この収集した複数の画像のうち、所望の画像を指定することで、所望パラメータの最適な量が求められるものである。
【特許文献１】特開２００３−７０７６６号公報
【発明の開示】
【発明が解決しようとする課題】
【０００４】
上述したように、磁気共鳴イメージング装置の高機能化に伴い、操作メニューが複雑化しており、ルーチン検査においても操作手順の複雑化と操作手順のステップ数の増加を招いている。操作に習熟した担当者が必要な状況であるが、病院からは多モダリティ間での担当者のローテーションや未習熟者による緊急の操作を容易にすることが求められている。
【０００５】
従来の磁気共鳴イメージング装置は、収集条件、撮影位置の設定を含めた操作手順を記憶し再生する機能を備えていなかった。さらに、患者の個体差により各所で設定値を変更する必要がある場合があるが、編集ポイントを含め記録、再生できる機能は、一般の技術として考えられていなかった。
【０００６】
本発明は、上記課題を鑑みなされたもので、操作手順（プロシージャ）の記録・再生機能を装備することにより、患者選択後の条件(シーケンス)選択、収集条件編集、収集位置設定、収集、後処理などの一連の操作をルーチン検査毎に記録し、対応するルーチン検査で再生使用することで、ルーチン検査の操作を簡便化することができる磁気共鳴イメージング装置を提供することを目的とする。
【課題を解決するための手段】
【０００７】
上記課題を解決するために、本発明に係る保険指導支援装置は、撮像条件を構成する複数の撮像パラメータのうち一部の撮像パラメータに設定される値を準備撮像により最適化したうえで本撮像を行う磁気共鳴イメージング装置であって、目的部位ごとに撮像の操作手順を記憶する操作手順記憶手段と所定の目的部位の撮像を行う際に、前記操作手順記憶手段により記憶されている操作手順に基づいて準備撮像を実行する準備撮像実行手段と、前記準備撮像実行手段による準備撮像に基づいて撮像パラメータを最適化する最適化手段と、前記最適化手段により最適化された撮像パラメータに基づいて、本撮像を実行する本撮像実行手段と、を備えたことを特徴とする。
【発明の効果】
【０００８】
本発明に係る磁気共鳴イメージング装置によると、操作手順（プロシージャ）の記録・再生機能を装備することにより、患者選択後の撮像条件（シーケンス）選択、収集条件編集、収集位置設定、収集、後処理などの一連の操作をルーチン検査毎に記録し、対応するルーチン検査で再生使用することで、ルーチン検査の操作を簡便化することが可能となる。
【発明を実施するための最良の形態】
【０００９】
本発明に係る磁気共鳴イメージング装置の実施形態を、添付図面に基づいて詳細に説明する。図１は、本発明に係る磁気共鳴イメージング装置１００の構成を示す図である。図１に示すように、磁気共鳴イメージング装置１００は、静磁場磁石１、傾斜磁場コイル２、傾斜磁場電源３、寝台４、寝台制御部５、送信ＲＦコイル６、送信部７、受信ＲＦコイル８、受信部９、計算機システム１０を備えている。
【００１０】
静磁場磁石１は、中空の円筒形状に形成された磁石であり、内部の空間に一様な静磁場を発生する。この静磁場磁石１としては、例えば永久磁石、超伝導磁石等が使用される。傾斜磁場コイル２は、中空の円筒形状に形成されたコイルであり、静磁場磁石１の内側に配置される。この傾斜磁場コイル２は、互いに直交するＸ，Ｙ，Ｚの各軸に対応する３つのコイルが組み合わされて形成されており、これら３つのコイルは、後述する傾斜磁場電源３から個別に電流供給を受けて、Ｘ，Ｙ，Ｚの各軸に沿って磁場強度が変化する傾斜磁場を発生させる。なお、Ｚ軸方向は、静磁場と同方向とする。
【００１１】
ここで、傾斜磁場コイル２によって発生するＸ，Ｙ，Ｚ各軸の傾斜磁場は、例えば、スライス選択用傾斜磁場Ｇｓ、位相エンコード用傾斜磁場Ｇｅおよびリードアウト用傾斜磁場Ｇｒにそれぞれ対応している。スライス選択用傾斜磁場Ｇｓは、任意に撮像断面を決めるために利用される。位相エンコード用傾斜磁場Ｇｅは、空間的位置に応じて磁気共鳴信号の位相を変化させるために利用される。リードアウト用傾斜磁場Ｇｒは、空間的位置に応じて磁気共鳴信号の周波数を変化させるために利用される。
【００１２】
傾斜磁場電源３は、計算機システム１０から送られるパルスシーケンス実行データに基づいて、傾斜磁場コイル２に電流を供給する装置である。
【００１３】
寝台４は、被検体Ｐが載置される天板４ａを備えた装置であり、寝台制御部５による制御のもと、天板４ａを、被検体Ｐが載置された状態で傾斜磁場コイル２の空洞（撮像口）内へ挿入する。通常、この寝台４は、長手方向が静磁場磁石１の中心軸と平行になるように設置される。寝台制御部５は、寝台４を制御する装置であり、寝台４を駆動して、天板４ａを長手方向および上下方向へ移動する。
【００１４】
送信ＲＦコイル６は、傾斜磁場コイル２の内側に配置されたコイルであり、送信部７から高周波パルスの供給を受けて、高周波磁場を発生する。
【００１５】
送信部７は、計算機システム１０から送られるパルスシーケンス実行データに基づいて、ラーモア周波数に対応する高周波パルスを送信ＲＦコイル６に送信する装置であり、発振部、位相選択部、周波数変換部、振幅変調部、高周波電力増幅部などを有する。発振部は、静磁場中における対象原子核に固有の共鳴周波数の高周波信号を発生する。位相選択部は、上記高周波信号の位相を選択する。周波数変換部は、位相選択部から出力された高周波信号の周波数を変換する。振幅変調部は、周波数変調部から出力された高周波信号の振幅を例えばｓｉｎｃ関数に従って変調する。高周波電力増幅部は、振幅変調部から出力された高周波信号を増幅する。これらの各部の動作の結果として、送信部７は、ラーモア周波数に対応する高周波パルスを送信ＲＦコイル６に送信する。
【００１６】
受信ＲＦコイル８は、傾斜磁場コイル２の内側に配置されたコイルであり、上記の高周波磁場の影響によって被検体から放射される磁気共鳴信号を受信する。この受信ＲＦコイル８は、磁気共鳴信号を受信すると、その磁気共鳴信号を受信部９へ出力する。
【００１７】
受信部９は、計算機システム１０から送られるパルスシーケンス実行データに基づいて、受信ＲＦコイル８から出力される磁気共鳴信号に基づいて磁気共鳴信号データを生成する装置である。この受信部９は、磁気共鳴信号データを生成すると、その磁気共鳴信号データを計算機システム１０に送信する。
【００１８】
計算機システム１０は、磁気共鳴イメージング装置１００の全体制御や、データ収集、画像再構成などを行う装置であり、インタフェース部１１、データ収集部１２、データ処理部１３、記憶部１４、表示部１５、入力部１６、及び制御部１７を有している。
【００１９】
インタフェース部１１は、傾斜磁場電源３、寝台制御部５、送信部７および受信部９に接続されており、これらの接続された各部と計算機システム１０との間で授受される信号の入出力を制御する。
【００２０】
データ収集部１２は、インタフェース部１１を介して、受信部９から送信される磁気共鳴信号データを収集する。データ収集部１２は、磁気共鳴信号データを収集すると、収集した磁気共鳴信号データを記憶部１４に記憶させる。
【００２１】
データ処理部１３は、記憶部１４に記憶されている磁気共鳴信号データに対して、後処理、すなわちフーリエ変換等の再構成処理を施すことによって、被検体Ｐ内における所望核スピンのスペクトラムデータあるいは画像データを生成する。
【００２２】
記憶部１４は、データ収集部１２によって収集された磁気共鳴信号データ、データ処理部１３によって生成された画像データなどを、被検体Ｐごとに記憶する。この記憶部１４としては、ＲＯＭ（Ｒｅａｄ  Ｏｎｌｙ  Ｍｅｍｏｒｙ）やハードディスクなどの記憶装置を利用可能である。記憶部１４は、本撮像用として設定された撮像条件から準備撮像用の撮像条件を生成する方法を定義した条件生成定義情報を撮像の種類ごとに記憶している。
【００２３】
表示部１５は、制御部１７による制御に基づいて、スペクトラムデータあるいは画像データ等の各種の情報を表示する装置である。この表示部１５としては、液晶表示器などの表示デバイスを利用可能である。
【００２４】
入力部１６は、操作者から各種操作や情報入力を受け付ける装置である。この入力部１６としては、マウスやトラックボールなどのポインティングデバイス、モード切り替えスイッチ等の選択デバイス、あるいはキーボード等の入力デバイスを適宜に利用可能である。
【００２５】
制御部１７は、図示していないＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）などを有し、磁気共鳴イメージング装置１００を総括的に制御する。
【００２６】
このような磁気共鳴イメージング装置１００において、操作メニューが複雑化していて、ルーチン検査においても操作手順の複雑化と操作手順のステップ数の増加を招いている。操作に習熟した担当者が必要な状況であるが、病院からは多モダリティ間での担当者のローテーションや未習熟者による緊急の操作を容易にすることが求められている。
【００２７】
そこで磁気共鳴イメージング装置１００は、操作手順の記録・再生機能を装備することにより、患者選択後の撮像条件（シーケンス）選択、収集条件編集、収集位置設定、収集、後処理などの一連の操作をルーチン検査毎に記録し、対応するルーチン検査で再生使用することでルーチン検査の操作を簡便化する。さらに編集ポイントを記録できる機能を設けることにより患者毎に設定を変える必要があるパラメータに関しては、インタラクティブに変更できる設定も含め記録することで、ルーチン検査の操作手数を最小にする。
【００２８】
図２は、磁気共鳴イメージング装置１００において上述した操作手順の記憶・再生機能を実現するためのブロック図である。磁気共鳴イメージング装置１００は、図２に示すように、操作手順記憶・再生部２０、操作手順記録開始部２１、設定変更操作部２２、操作手順記録終了部２３、登録操作手順選択部２４、選択登録操作手順再生続行部２５を備えている。
【００２９】
図３は、磁気共鳴イメージング装置１００が操作手順の記憶・再生機能を実現するために表示部１５に表示される記録・再生画面２９を示す画面図である。記録・再生画面２９は、例えば図３に示すように、記録開始ボタン２９ａ、編集設定ボタン２９ｂ、記録終了＆登録ボタン２９ｃ、選択ボタン２９ｄ、再生実行ボタン２９ｅ、登録手順名称入力欄２９ｆ、登録手順リスト欄２０ｇを備えている。
【００３０】
操作手順記憶・再生部２０は、ルーチン検査を行う際に、このときの操作手順を使用された撮像パラメータと併せて記憶するとともに、次回に同様のルーチン検査を行う際に、この記憶された操作手順を再生することで、このルーチン検査を簡便化している。
【００３１】
操作手順記録開始部２１は、操作を開始する際に、患者が選択された後、例えば記録・再生画面２９の記録開始ボタン２９ａが選択されたことに基づいて、操作手順の記録を開始する。このとき、撮像に用いられたパラメータも操作手順と併せて記憶される。
【００３２】
設定変更操作記憶部２２は、撮像条件（シーケンス）が選択された後、収集条件編集、収集位置設定、収集、後処理などの一連の操作を実施する。また設定変更操作記憶部２２は、患者毎に設定を変える必要がある項目があった場合に、記録・再生画面２９の編集設定ボタン２９ｂでインタラクティブな編集を設定する。
【００３３】
操作手順記録終了部２３は、記録対象となる操作手順が終了した後、登録手順名称入力欄２９ｆに登録名称が入力されて記録終了＆登録ボタン２９ｃが選択されることに基づいて、記録された操作手順に登録名称を付して操作手順記憶・再生部２０に記憶させる。
【００３４】
登録操作手順選択部２４は、操作を開始する際に、患者が選択された後、操作手順記憶・再生部２０に記憶されている操作手順を取得して、記録・再生画面２９の登録手順リスト欄２０ｇに登録手順リストとして各々の操作手順が選択可能なように表示し、この登録手順リストから操作手順が選択されて選択ボタン２９ｄが選択されたことに基づいて、この操作手順を取得する。
【００３５】
選択登録操作手順再生続行部２５は、記録・再生画面２９の再生実行ボタン２９ｅが選択されたことに基づいて、登録操作手順選択部２４により選択された操作手順を再生する。また選択登録操作手順再生続行部２５は、操作手順を再生している間、インタラクティブな編集項目に関して再生する際、再生を一旦停止してユーザに対して編集を促す。そして選択登録操作手順再生続行部２５は、編集が終了され再生続行ボタン２９ｅが再び選択されることに基づいて、再生を続行継続する。
【００３６】
このように、磁気共鳴イメージング装置１００は、操作手順の記録・再生機能を実現するための構成により、複雑な操作手順を複数記憶し、前記手順を選択的に実行することが可能となっているとともに、実行に際しては所望の操作で編集作業が可能になっている。
【００３７】
磁気共鳴イメージング装置１００は、操作を行う際に、操作手順を記録する操作手順記録処理を行う。磁気共鳴イメージング装置１００がこの操作手順記録処理を行う際の手順を、図４に示すフローチャートに基づいて詳細に説明する。以下、例えば「ステップＳ１０１」を「Ｓ１０１」のように、「ステップ」を省略して説明する。
【００３８】
始めに、操作手順記録開始部２１は、表示部１５に患者登録画面を表示する。図５は、患者登録画面３０を示す画面図である。患者登録画面３０は、図５に示すように、患者情報入力欄３０ａ、新患者登録ボタン３０ｂ、登録＆選択ボタン３０ｃを備えている。ユーザは入力部１６を用いて、新患者登録ボタン３０ａを選択し、患者情報入力欄３０ｂに患者情報を入力する。そしてユーザは、入力を終えると、登録＆選択ボタン３０ｃを選択する。そこで操作手順記録開始部２１は、この登録＆選択ボタン３０ｃが選択されたか否かを判断する（Ｓ１０１）。登録＆選択ボタン３０ｃが選択されていない場合（Ｓ１０１のＮｏ）は、操作手順記録開始部２１はそのまま待機する。
【００３９】
登録＆選択ボタン３０ｃが選択された場合（Ｓ１０１のＹｅｓ）は、操作手順記録開始部２１は、入力された患者情報を登録して、設定変更操作部２２に操作手順の記録を開始させる（Ｓ１０３）。まず、設定変更操作部２２は、表示部１５にＰＡＳ選択画面３１を表示する。ＰＡＳ機能とは、スキャン前にあらかじめ目的部位毎の撮影条件などをプリセットする機能である。そして目的部位によって、必要な準備撮像の種類が決定される。図６は、ＰＡＳ選択画面３１を示す画面図である。ＰＡＳ選択画面３１は、図６に示すように、ＰＡＳ選択欄３１ａ、選択＆終了ボタン３１ｂを備えている。
【００４０】
ユーザは入力部１６を用いて、ＰＡＳ選択欄３１ａにてＰＡＳを選択する。そしてユーザは、選択を終えると、登録＆終了ボタン３１ｂを選択する。よって設定変更操作部２２は、この登録＆終了ボタン３１ｂが選択されたか否かを判断する（Ｓ１０５）。登録＆終了ボタン３１ｂが選択されていない場合（Ｓ１０５のＮｏ）は、設定変更操作部２２はそのまま待機する。
【００４１】
登録＆終了ボタン３１ｂが選択された場合（Ｓ１０５のＹｅｓ）は、設定変更操作部２２は、ステップＳ１０５にて選択されたＰＡＳに基づいて、撮像条件を設定する（Ｓ１０７）。この撮像条件を設定する処理について、図７に示すフローチャートに基づいて詳細に説明する。
【００４２】
まず設定変更操作部２２は、表示部１５に撮像条件設定画面３２を表示する（Ｓ２０１）。図８は、撮像条件設定画面３２を示す画面図である。撮像条件設定画面３２は、図８に示すように、複数のシーケンスが選択可能に提示されるシーケンス選択欄３２ａ、撮像条件設定ボタン３２ｂを備えている。ユーザは入力部１６を用いて、シーケンス選択欄３２ａにて位置決め画像撮像のシーケンスを選択する。そしてユーザは、位置決め画像撮像のシーケンスの選択を終えると、撮像条件設定ボタン３２ｂを選択する。設定変更操作部２２は、この撮像条件設定ボタン３２ｂの選択に基づいて、選択された撮像条件を設定する。
【００４３】
準備撮像には、ＴＩを決定するためのＴＩ  Ｐｒｅｐ、遅延時間を決定するためのＥＣＧ  Ｐｒｅｐ、傾斜磁場強度をＦｌｏｗ  Ｓｐｏｉｌ  Ｐｒｅｐ、脂肪抑制パルスの周波数を決定するための中心周波数Ｐｒｅｐ、中心周波数を決定するための脂肪抑制Ｐｒｅｐ、及びＦｌｏｗ  ＥｎｃｏｄｅパルスＰｒｅｐ、ＢＢＴＩ  Ｐｒｅｐ等の種類がある。
【００４４】
また、準備撮像において決定される可変パラメータ４１において、各々の可変パラメータ４１は、この可変パラメータに影響を与える複製パラメータ４２、準備撮像用に予め固定された変更パラメータ４３により決定される。なお、複製パラメータ４２は、本撮像から複製されたパラメータである。図９は、各々の可変パラメータ４１を決定するための複製パラメータ４２、変更パラメータ４３のパラメータ表４０の一例を示す図である。
【００４５】
例えば図９に示すように、ＴＩ  Ｐｒｅｐの準備撮像において決定される可変パラメータ４１（ＴＩ）は、撮像断面（中心）、ＴＲ、ＴＥ、ＦＡ、セグメント数、セグメント方式、収集時相、ＳＥＥＤＥＲ  ｆａｃｔｏｒ、脂肪抑制、プリサチュレーション等の複製パラメータ４２と、ＦＯＶ、マトリクス数、ＮＡＱ、スライス厚、スライス枚数、空間次元（２Ｄ）等の変更パラメータ４３により決定される。
【００４６】
同様に、ＥＣＧ−Ｐｒｅｐの準備撮像において決定される可変パラメータ４１（遅延時間）は、撮像断面（中心）、ＴＲ、ＰＥ方向、ＴＥ、ＴＩ、ＥＴＳ、ＦＡ、脂肪抑制、プリサチュレーション等の複製パラメータ４２と、ＦＯＶ、マトリクス数、ＮＡＱ、ショット数、スライス厚、ＳＥＥＤＥＲ  ｆａｃｔｏｒ、スライス枚数、空間次元（２Ｄ）等の変更パラメータ４３により決定される。
【００４７】
図１０は、遅延造影撮像のインバージョン時間（ＴＩ）を決定するための準備撮像の際の可変パラメータ、複製パラメータ、変更パラメータのパラメータ表を示す図である。図１１は、ＦＢＩ（ｆｌｅｓｈ  ｂｌｏｏｄ  ｉｍａｇｉｎｇ）撮像のＲ波からの遅延時間（ＴＲ）を決定するための準備撮像の際の可変パラメータ、複製パラメータ、変更パラメータのパラメータ表を示す図である。図１２は、ＦＢＩ撮像のディフェイズの傾斜磁場強度を決定するための準備撮像の際の可変パラメータ、複製パラメータ、変更パラメータのパラメータ表を示す図である。
【００４８】
図１３は、ＭＲＣＡ（コロナリーＭＲＡ）撮像の脂肪抑制パルスの周波数を決定するための準備撮像の際の可変パラメータ、複製パラメータ、変更パラメータの表を示すパラメータ図である。図１４は、ＭＲＣＡ撮像の中心周波数を決定するための準備撮像の際の可変パラメータ、複製パラメータ、変更パラメータのパラメータ表を示す図である。
【００４９】
記憶部１４は、準備撮像の種類ごとに、図１０乃至図１４に示すようなパラメータ表を記憶している。設定変更操作部２２は、準備撮像を行う際に、記憶部１４に記憶されたこれらのパラメータ表に基づいて、準備撮像の種類に応じて、複製パラメータ４２、変更パラメータ４３を取得して、可変パラメータ４１を決定する。
【００５０】
まず設定変更操作部２２は、準備撮像の種類に基づいて、準備撮像用固定パラメータ（変更パラメータ）を記憶部１４から取得し、このパラメータに基づいて準備撮像条件を生成する（Ｓ２０３）。また設定変更操作部２２は、準備撮像の種類に基づいて、複製パラメータを記憶部１４から抽出する（Ｓ２０５）。そして設定変更操作部２２は、ステップＳ２０３、Ｓ２０５にて取得されたパラメータに基づいて準備撮像を行う（Ｓ２０７）。
【００５１】
設定変更操作部２２は、準備撮像を終えると、操作手順の記録を一旦停止させて、撮像条件編集画面３３、３４を表示部１５に表示する（Ｓ２０９）。図１５及び図１６は、撮像条件編集画面３３、３４を示す画面図である。撮像条件編集画面３３、３４は、図１５及び図１６に示すように、ステップＳ２０７の準備撮像により得られた撮像条件を編集可能に提示した撮像条件編集欄３３ａ、３４ａ、ページ切り替えボタン３３ｂ、３４ｂ、終了ボタン３３ｃ、３４ｃを備えている。
【００５２】
ユーザは入力部１６を用いて、撮像条件編集欄３３ａ、３４ａにて撮像条件を編集する。この際、ユーザは入力部１６を用いてページ切り替えボタン３３ｂ、３４ｂを選択することにより、撮像条件を編集するためのページ（撮像条件編集画面３３や撮像条件編集画面３４）を切り替えることができる。そしてユーザは、編集を終えると、終了ボタン３３ｃ、３４ｃを選択する。よって設定変更操作部２２は、この終了ボタン３３ｃ、３４ｃが選択されて可変パラメータが設定されたか否かを判断する（Ｓ２１１）。終了ボタン３３ｃ、３４ｃが選択されていない場合（Ｓ２１１のＮｏ）は、設定変更操作部２２はそのまま待機する。
【００５３】
終了ボタン３３ｃ、３４ｃが選択された場合（Ｓ２１１のＹｅｓ）は、設定変更操作部２２は、編集された撮像条件を設定する（Ｓ２１３）。設定変更操作部２２は、表示部１５に位置決め撮像開始画面３５を表示する。図１７は、位置決め撮像開始画面３５を示す画面図である。位置決め撮像開始画面３５は、図１７に示すように、シーケンス選択欄３５ａ、撮像開始ボタン３５ｂを備えている。ユーザは入力部１６を用いて、シーケンス選択欄３５ａにて位置決め画像撮像のシーケンスを選択する。そしてユーザは、位置決め画像シーケンスの選択を終えると、撮像開始ボタン３５ｂを選択する。よって設定変更操作部２２は、この撮像開始ボタン３５ｂが選択されたか否かを判断する（Ｓ１０９）。撮像開始ボタン３５ｂが選択されていない場合（Ｓ１０９のＮｏ）は、設定変更操作部２２はそのまま待機する。
【００５４】
撮像開始ボタン３５ｂが選択された場合（Ｓ１０９のＹｅｓ）は、設定変更操作部２２は、表示部１５に撮像プラン起動画面３６を表示する（Ｓ１１１）。図１８は、撮像プラン起動画面３６を示す画面図である。撮像プラン起動画面３６は、図１８に示すように、シーケンス選択欄３６ａ、スキャンプランボタン３６ｂを備えている。ユーザは入力部１６を用いて、シーケンス選択欄３６ａにて位置決めプランを行うシーケンスを選択する。そしてユーザは、選択を終えると、スキャンプランボタン３６ｂを選択する。よって設定変更操作部２２は、このスキャンプランボタン３６ｂが選択されたか否かを判断する（Ｓ１１３）。スキャンプランボタン３６ｂが選択されていない場合（Ｓ１１３のＮｏ）は、設定変更操作部２２はそのまま待機する。
【００５５】
スキャンプランボタン３６ｂが選択された場合（Ｓ１１３のＹｅｓ）は、設定変更操作部２２は、選択されたシーケンスに基づいて撮像プランを起動する（Ｓ１１５）。そして設定変更操作部２２は、位置決め用の撮像が終了すると、操作手順の記録を一旦停止して、表示部１５に位置決め画面３７を表示する。図１９は、位置決め画面３７を示す画面図である。位置決め画面３７は、図１９に示すように、画像表示欄３７ａ、終了ボタン３７ｂを備えている。
【００５６】
ユーザは入力部１６を用いて、画像表示欄３７ａにて撮像スライスの位置決めを行う。そしてユーザは、位置決めを終えると、終了ボタン３７ｂを選択する。よって設定変更操作部２２は、この終了ボタン３７ｂが選択されたか否かを判断する（Ｓ１１７）。終了ボタン３７ｂが選択されていない（位置決めがされていない）場合（Ｓ１１７のＮｏ）は、設定変更操作部２２はそのまま待機する。
【００５７】
終了ボタン３７ｂが選択された（位置決めがされた）場合（Ｓ１１７のＹｅｓ）は、設定変更操作部２２は、操作手順を操作手順記憶・再生部２０に記録するのを終了する（Ｓ１１９）。
【００５８】
また操作手順記憶・再生部２０は、本撮像を開始する（Ｓ１２１）。このとき操作手順記憶・再生部２０は、表示部１５に本撮像開始画面３８を表示する。図２０は、本撮像開始画面３８を示す画面図である。本撮像開始画面３８は、図２０に示すように、撮像開始ボタン３９ａを備えている。ユーザは磁気共鳴イメージング装置１００に対して本撮像の開始を指示する際、入力部１６を用いて撮像開始ボタン３８ａを選択する。操作手順記憶・再生部２０は、この撮像開始ボタン３８ａの選択に基づいて、ステップＳ１０７にて設定された撮像条件、ステップＳ１１７にて設定された位置決め情報を用いて本撮像を開始する。この本撮像に使用された撮像条件が、操作手順記憶・再生部２０に記憶されて、次回のルーチン検査の際に再生使用される。
【００５９】
このようにして磁気共鳴イメージング装置１００において、操作手順（プロシージャ）の記録・再生機能を装備することにより、患者選択後の撮像条件（シーケンス）選択、収集条件編集、収集位置設定、収集、後処理などの一連の操作をルーチン検査毎に記録する。これにより、次回にルーチン検査を行う際に、この記録された一連の操作を再利用することができる。
【００６０】
また、磁気共鳴イメージング装置１００において、編集ポイントを記録できる機能を設けることにより、患者毎に設定を変えるパラメータに関してはインタラクティブに変更できる設定も含め記録しておくことで、患者ごとに設定される必要のある項目のみが設定されれば良く、ルーチン検査の操作手数を効率的に最小にすることができる。
【００６１】
ここで、磁気共鳴イメージング装置１００は、ステップＳ１０１乃至Ｓ１１９にて記録された操作手順を再生する操作手順再生処理を行う。磁気共鳴イメージング装置１００がこの操作手順再生処理を行う際の手順を、図２１に示すフローチャートに基づいて詳細に説明する。なお、当該患者に対して、ステップＳ１０１乃至Ｓ１２１の処理が既に行われており、操作手順記憶・再生部２０に撮像の目的部位の操作手順が既に記憶されているものとする。
【００６２】
まず登録操作手順選択部２４は、患者が選択されたか否かを判断する（Ｓ３０１）。この際、登録操作手順選択部３５は、表示部１５に例えば図５に示すような患者登録画面３０を表示し、ユーザにより入力部１６を用いて患者リストを各々の患者が選択可能なように表示し、患者が選択されて登録＆選択ボタン３０ｃが選択されたことに基づいて、患者が選択されたものと判断する。この患者に対して複数のＰＡＳが記憶されている場合には、ＰＡＳも併せて選択される。患者が選択されていない場合（Ｓ３０１のＮｏ）は、登録操作手順選択部２４はそのまま待機する。
【００６３】
患者が選択された場合（Ｓ３０１のＹｅｓ）は、選択登録操作手順再生続行部２５は、ステップＳ１０１乃至Ｓ１１９に記憶された撮像条件を設定する（Ｓ３０３）。撮像条件が設定された後、操作手順の再生を一旦停止して、撮像条件を編集できるようにしても良い。そして選択登録操作手順再生続行部２５は、位置決め撮像の開始が指示されたか否かを判断する（Ｓ３０５）。この際、選択登録操作手順再生続行部２５は、表示部１５に例えば図１７に示すような位置決め撮像開始画面３５を表示し、撮像開始ボタン３５ｂが選択されたことに基づいて、位置決め撮像の開始が指示されたものと判断する。位置決め撮像の開始が指示されていない場合（Ｓ３０５のＮｏ）は、選択登録操作手順再生続行部２５はそのまま待機する。
【００６４】
位置決め撮像の開始が指示された場合（Ｓ３０５のＹｅｓ）は、選択登録操作手順再生続行部２５は、位置決め用の撮像を開始する（Ｓ３０７）。選択登録操作手順再生続行部２５は、位置決め用の撮像が終了した際、操作手順の再生を一旦停止して、ユーザにより位置決めがされた否かを判断する（Ｓ３０９）。この際、選択登録操作手順再生続行部２５は、表示部１５に例えば図１９に示すような位置決め画面３７を表示して、ユーザに対して位置決めを促す。
【００６５】
ユーザは位置決め画面３７に基づいて位置決めを行い、終了ボタン３７ｂを選択する。よって選択登録操作手順再生続行部２５は、終了ボタン３７ｂが選択された場合に、位置決めがされたものと判断する。位置決めがされていない場合（Ｓ３０９のＮｏ）は、選択登録操作手順再生続行部２５はそのまま待機する。位置決めがされた場合（Ｓ３０９のＹｅｓ）は、選択登録操作手順再生続行部２５は、ステップＳ３０３にて設定された撮像条件、ステップＳ３０９によって設定された位置決め情報に基づいて本撮像を開始する。なお、この本撮像に使用された撮像条件が、操作手順記憶・再生部２０に記憶されて、次回のルーチン検査の際に再生使用されるようにしても良い。
【００６６】
このようにして磁気共鳴イメージング装置１００は、操作手順（プロシージャ）の記録・再生機能を装備することにより、患者選択後の撮像条件（シーケンス）選択、収集条件編集、収集位置設定、収集、後処理などの一連の操作をルーチン検査毎に記録しておき、次回にルーチン検査を行う際に、この記録された一連の操作に基づいて操作を行う。これにより、磁気共鳴イメージング装置１００におけるルーチン検査の操作を簡便化することが可能となる。
【００６７】
また、磁気共鳴イメージング装置１００において、編集ポイントを記録できる機能を設けることにより、患者毎に設定を変えるパラメータに関してはインタラクティブに変更できる設定も含め記録しておくことで、ルーチン検査を行う際に、患者ごとに設定される必要がある項目のみが設定されればよく、ルーチン検査の操作手数を効率的に最小にすることができる。
【００６８】
本発明に係る磁気共鳴イメージング装置によると、操作手順（プロシージャ）の記録・再生機能を装備することにより、患者選択後の条件(シーケンス)選択、収集条件編集、収集位置設定、収集、後処理などの一連の操作をルーチン検査毎に記録し、対応するルーチン検査で再生使用することで、ルーチン検査の操作を簡便化することが可能となる。
【図面の簡単な説明】
【００６９】
【図１】本発明に係る磁気共鳴イメージング装置を示すシステム構成図。
【図２】本発明に係る磁気共鳴イメージング装置の操作手順を記憶しこれに基づいて再生する機能を示す機能ブロック図。
【図３】本発明に係る磁気共鳴イメージング装置の操作手順を記憶しこれに基づいて再生する際の画面図。
【図４】本発明に係る磁気共鳴イメージング装置による操作手順記録処理の手順を示すフローチャート。
【図５】患者登録画面を示す画面図。
【図６】ＰＡＳ選択画面を示す画面図。
【図７】本発明に係る磁気共鳴イメージング装置による撮像条件設定処理の手順を示すフローチャート。
【図８】撮像条件設定画面を示す画面図。
【図９】準備撮像を行う際に可変パラメータを決定するための複製パラメータ及び変更パラメータの一例を示す図。
【図１０】遅延造影撮像のインバージョン時間（ＴＩ）を決定するための準備撮像の際の可変パラメータ、複製パラメータ、変更パラメータの表を示す図。
【図１１】ＦＢＩ撮像の遅延時間（ＴＤ）を決定するための準備撮像の際の可変パラメータ、複製パラメータ、変更パラメータの表を示す図。
【図１２】ＦＢＩ撮像のディフェイズの傾斜磁場強度を決定するための準備撮像の際の可変パラメータ、複製パラメータ、変更パラメータの表を示す図。
【図１３】ＭＲＣＡ撮像の脂肪抑制パルスの周波数を決定するための準備撮像の際の可変パラメータ、複製パラメータ、変更パラメータの表を示す図。
【図１４】ＭＲＣＡ撮像の中心周波数を決定するための準備撮像の際の可変パラメータ、複製パラメータ、変更パラメータの表を示す図。
【図１５】撮像条件編集画面を示す画面図。
【図１６】撮像条件編集画面を示す画面図。
【図１７】位置決め撮像開始画面を示す画面図。
【図１８】撮像プラン起動画面を示す画面図。
【図１９】位置決め画面を示す画面図。
【図２０】本撮像開始画面を示す画面図。
【図２１】本発明に係る磁気共鳴イメージング装置による操作手順再生処理の手順を示すフローチャート。
【符号の説明】
【００７０】
１００…磁気共鳴イメージング装置，１…静磁場磁石，２…傾斜磁場コイル，３…傾斜磁場電源，４…寝台，４ａ…天板，５…寝台制御部，６…送信ＲＦコイル，７…送信部，８…受信ＲＦコイル，９…受信部，１０…計算機システム，１１…インタフェース部，１２…データ収集部，１３…データ処理部，１４…記憶部，１５…表示部，１６…入力部，１７…制御部，２０…操作手順記憶・再生部，２１…層手順記録開始部，２２…設定変更操作部，２３…操作手順記録終了部，２４…登録操作手順選択部，２５…選択登録操作手順再生続行部，３０…患者登録画面，３１…ＰＡＳ選択画面，３２…撮像条件設定画面，３３、３４…撮像条件編集画面，３５…位置決め撮像開始画面，３６…撮像プラン起動画面，３７…位置決め画面，３８…本撮像開始画面，４０…パラメータ表，４１…可変パラメータ，４２…複製パラメータ，４３…変更パラメータ。
【図１】
2010136828.tif 000003
【図２】
2010136828.tif 000004
【図３】
2010136828.tif 000005
【図４】
2010136828.tif 000006
【図５】
2010136828.tif 000007
【図６】
2010136828.tif 000008
【図７】
2010136828.tif 000009
【図８】
2010136828.tif 000010
【図９】
2010136828.tif 000011
【図１０】
2010136828.tif 000012
【図１１】
2010136828.tif 000013
【図１２】
2010136828.tif 000014
【図１３】
2010136828.tif 000015
【図１４】
2010136828.tif 000016
【図１５】
2010136828.tif 000017
【図１６】
2010136828.tif 000018
【図１７】
2010136828.tif 000019
【図１８】
2010136828.tif 000020
【図１９】
2010136828.tif 000021
【図２０】
2010136828.tif 000022
【図２１】
2010136828.tif 000023